(57)【特許請求の範囲】
【請求項１】
間欠的にアウェイク状態となる省電力モードを有し、Ｌｉｓｔｅｎ Ｉｎｔｅｒｖａｌ値が異なる複数の無線ＬＡＮ端末と、前記複数の無線ＬＡＮ端末が接続され、ビーコン情報にＤＴＩＭ（Ｄｅｌｉｖｅｒｙ Ｔｒａｆｆｉｃ Ｉｎｄｉｃａｔｉｏｎ Ｍｅｓｓａｇｅ）が含まれる周期を示すＤＴＩＭ値を付加して送信するアクセスポイントとを有する無線ＬＡＮシステムであって、
前記複数の無線ＬＡＮ端末は、それぞれ自端末のＬｉｓｔｅｎ Ｉｎｔｅｒｖａｌ周期と前記アクセスポイントからのビーコン情報のビーコン間隔をもとにＤＴＩＭ値を算出し、アソシエーション要求にＬｉｓｔｅｎ Ｉｎｔｅｒｖａｌ値として設定する手段を有し、
前記アクセスポイントは、
前記複数の無線ＬＡＮ端末からの前記アソシエーション要求に設定されたＬｉｓｔｅｎ Ｉｎｔｅｒｖａｌ値と当該アクセスポイントに設定されたＬｉｓｔｅｎ Ｉｎｔｅｒｖａｌ値とを比較する比較手段と、
前記比較手段の比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する手段と、
を備えたことを特徴とする無線ＬＡＮシステム。
【請求項２】
前記アクセスポイントは、あて先の無線ＬＡＮ端末のアソシエーションＩＤに対応するビットを１に設定し、当該無線ＬＡＮ端末は前記アソシエーションＩＤに対応するビットを確認することで、自端末へのデータ有無を判断することを特徴とする請求項１に記載の無線ＬＡＮシステム。
【請求項３】
間欠的にアウェイク状態となる省電力モードを有し、Ｌｉｓｔｅｎ Ｉｎｔｅｒｖａｌ値が異なる複数の無線ＬＡＮ端末と、前記複数の無線ＬＡＮ端末が接続され、ビーコン情報にＤＴＩＭ（Ｄｅｌｉｖｅｒｙ Ｔｒａｆｆｉｃ Ｉｎｄｉｃａｔｉｏｎ Ｍｅｓｓａｇｅ）が含まれる周期を示すＤＴＩＭ値を付加して送信するアクセスポイントとを有する無線ＬＡＮシステムの省電力制御方法であって、
前記複数の無線ＬＡＮ端末により、それぞれ自端末のＬｉｓｔｅｎ Ｉｎｔｅｒｖａｌ周期と前記アクセスポイントからのビーコン情報のビーコン間隔をもとにＤＴＩＭ値を算出し、アソシエーション要求にＬｉｓｔｅｎ Ｉｎｔｅｒｖａｌ値として設定する工程と、
前記アクセスポイントにより、
前記複数の無線ＬＡＮ端末からの前記アソシエーション要求に設定されたＬｉｓｔｅｎ Ｉｎｔｅｒｖａｌ値と当該アクセスポイントに設定されたＬｉｓｔｅｎ Ｉｎｔｅｒｖａｌ値とを比較する工程と、
前記比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する工程と、
を含むことを特徴とする無線ＬＡＮシステムの省電力制御方法。
【請求項４】
前記アクセスポイントは、あて先の無線ＬＡＮ端末のアソシエーションＩＤに対応するビットを１に設定し、当該無線ＬＡＮ端末は前記アソシエーションＩＤに対応するビットを確認することで、自端末へのデータ有無を判断することを特徴とする請求項３に記載の無線ＬＡＮシステムの省電力制御方法。
【請求項５】
間欠的にアウェイク状態となる省電力モードを有し、Ｌｉｓｔｅｎ Ｉｎｔｅｒｖａｌ値が異なる複数の無線ＬＡＮ端末と、前記複数の無線ＬＡＮ端末が接続され、ビーコン情報にＤＴＩＭ（Ｄｅｌｉｖｅｒｙ Ｔｒａｆｆｉｃ Ｉｎｄｉｃａｔｉｏｎ Ｍｅｓｓａｇｅ）が含まれる周期を示すＤＴＩＭ値を付加して送信するアクセスポイントとを有する無線ＬＡＮシステムにおける無線ＬＡＮ端末であって、
自無線端末のＬｉｓｔｅｎ Ｉｎｔｅｒｖａｌ周期と前記アクセスポイントからのビーコン情報のビーコン間隔をもとにＤＴＩＭ値を算出し、アソシエーション要求にＬｉｓｔｅｎ Ｉｎｔｅｒｖａｌ値として設定する手段を有し、
前記アクセスポイントは、
前記複数の無線ＬＡＮ端末からの前記アソシエーション要求に設定されたＬｉｓｔｅｎ Ｉｎｔｅｒｖａｌ値と当該アクセスポイントに設定されたＬｉｓｔｅｎ Ｉｎｔｅｒｖａｌ値との比較をし、
前記比較の比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信することを特徴とする無線ＬＡＮ端末。
【請求項６】
間欠的にアウェイク状態となる省電力モードを有し、Ｌｉｓｔｅｎ Ｉｎｔｅｒｖａｌ値が異なる複数の無線ＬＡＮ端末と、前記複数の無線ＬＡＮ端末が接続され、ビーコン情報にＤＴＩＭ（Ｄｅｌｉｖｅｒｙ Ｔｒａｆｆｉｃ Ｉｎｄｉｃａｔｉｏｎ Ｍｅｓｓａｇｅ）が含まれる周期を示すＤＴＩＭ値を付加して送信するアクセスポイントとを有する無線ＬＡＮシステムにおけるアクセスポイントであって、
前記複数の無線ＬＡＮ端末は、それぞれ自端末のＬｉｓｔｅｎ Ｉｎｔｅｒｖａｌ周期と前記アクセスポイントからのビーコン情報のビーコン間隔をもとにＤＴＩＭ値を算出し、アソシエーション要求にＬｉｓｔｅｎ Ｉｎｔｅｒｖａｌ値として設定し、
自アクセスポイントは、
前記複数の無線ＬＡＮ端末からの前記アソシエーション要求に設定されたＬｉｓｔｅｎ Ｉｎｔｅｒｖａｌ値と当該アクセスポイントに設定されたＬｉｓｔｅｎ Ｉｎｔｅｒｖａｌ値との比較をする比較手段と、
前記比較の比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する手段と、を有することを特徴とするアクセスポイント。
【発明の詳細な説明】
【技術分野】
【０００１】
本発明は、無線ＬＡＮシステム及び無線ＬＡＮ端末の省電力制御を行う省電力制御方法に関するものである。
【背景技術】
【０００２】
一般に、インフラストラクチャモードでの無線ＬＡＮシステムは、アクセスポイントとそのアクセスポイントに接続された無線ＬＡＮ端末により構成されている。ＰＣやプリンタのような電源ケーブルを使って電源を供給する無線ＬＡＮ端末では、常時、無線ＬＡＮ機能がアウェイク動作していても問題はないが、携帯型ゲーム機や携帯端末等に無線ＬＡＮ機能が搭載された端末は電池で動作するため、省電力動作をするための仕組みが必要となる。
【０００３】
無線ＬＡＮ端末は、通常、アクティブモードとパワーセーブモードの２種類のモードを持っている。アクティブモードは無線ＬＡＮ信号の送受信を行う回路に常に電源供給されている状態であり、常にアウェイク状態、つまり、常に送受信可能状態になっているモードである。一方、パワーセーブモードは間欠的にドーズ状態、つまり、必要最低限の電力で動作する送受信不可能状態になり、一定時間間隔でアウェイク状態になった時間のみ送受信が可能になるモードである。
【０００４】
無線ＬＡＮ端末はパワーセーブモードになると、アクセスポイントは接続している無線ＬＡＮ端末が常にデータを受信できる状態でないことを認識し、無線ＬＡＮ端末向けのデータがある場合には、ビーコンに含まれるＴＩＭ（Traffic Indication Map）と呼ばれるパワーセーブモード端末への送信データの有無を示す情報により無線ＬＡＮ端末にデータがあることを通知する。
【０００５】
データがあることを通知するＴＩＭは、ＤＴＩＭ（Delivery Traffic Indication Message）と呼ばれ、アクセスポイントはビーコン間隔と合わせてビーコンにＤＴＩＭが含まれる周期（ＤＴＩＭ値）を付加して送信する。無線ＬＡＮ端末がＤＴＩＭ周期でアウェイク状態になり、データ受信可能な状態になってから、アクセスポイントはデータを送信する。これにより、省電力動作している無線ＬＡＮ端末でも自端末宛のデータがあるかどうかを確認でき、データの受信が可能となる。
【０００６】
このような無線ＬＡＮシステムに関する技術は、特許文献１乃至４等に記載されている。特許文献１にはアクセスポイントから省電力モードに設定された無線端末に対してビーコン間隔毎にヒーコンデータを送信したり、定期的にＤＴＩＭを含めて送信すること等が記載されている。
【０００７】
特許文献２には上述のような無線端末のアクティブモードやパワーセーブモードに関して記載されている。特許文献３には無線ＬＡＮ端末が間欠受信モードを有し、ビーコンフレームを間欠的に受信することが記載されている。更に、特許文献４には無線ＬＡＮ端末が基地局からのビーコンのうちＤＴＩＭを受信しない超省電力モードに移行すること等が記載されている。
【先行技術文献】
【特許文献】
【０００８】
【特許文献１】特開２００８−２６３３３５号公報
【特許文献２】特開２００６−０９３９４５号公報
【特許文献３】特開２００８−２６３５２０号公報
【特許文献４】特開２００８−０９２１２９号公報
【発明の概要】
【発明が解決しようとする課題】
【０００９】
通常、アクセスポイントに設定されたビーコン間隔とＤＴＩＭ値は無線ＬＡＮ端末の省電力を考慮して決定してあるとは限らない。そのため、例えば、ビーコン間隔１００msecでＤＴＩＭ値が１０の場合、無線ＬＡＮ端末のアウェイク周期は１００msec×１０＝１secとなるが、ビーコン間隔１００msecでＤＴＩＭ値１の場合にはアウェイク周期は１００msec×1＝１００msecとなり、ＤＴＩＭ１０の時に比べてアウェイクする頻度が１０倍になるため消費電流に大きな影響を与えてしまう。
【００１０】
自宅のアクセスポイントであれば、接続する無線ＬＡＮ端末の使用可能時間に応じてビーコン間隔とＤＴＩＭ値を最適化すればよいが、公衆無線ＬＡＮや企業内ＬＡＮで使用しているアクセスポイントの設定値は容易に変更できないため、接続する無線ＬＡＮ端末のアウェイク周期を最適化することができない。
【００１１】
また、無線ＬＡＮ端末がＤＴＩＭ周期でアウェイク動作するのではなく、端末自身で決定したListen Interval周期でアウェイク動作すると決める場合には、ビーコン間隔とＤＴＩＭ値によりアクセスポイントが期待する無線ＬＡＮ端末のアウェイク周期と無線ＬＡＮ端末に設定されたListen Interval周期が異なることがある。無線ＬＡＮ端末向けのマルチキャストパケットやブロードキャストパケットがある場合にはＤＴＩＭ情報で通知しても無線ＬＡＮ端末はドーズ状態であることがあり、ＤＴＩＭ情報を確認できないためデータを取りこぼしてしまう問題がある。
【００１２】
本発明の目的は、無線ＬＡＮ端末の省電力動作に設定されたアウェイク時間に応じてアクセスポイントの省電力設定パラメータを変更可能な無線ＬＡＮシステム及び省電力制御方法を提供することにある。
【課題を解決するための手段】
【００１３】
本発明の第１の観点によれば、間欠的にアウェイク状態となる省電力モードを有し、Ｌｉｓｔｅｎ Ｉｎｔｅｒｖａｌ値が異なる複数の無線ＬＡＮ端末と、前記複数の無線ＬＡＮ端末が接続され、ビーコン情報にＤＴＩＭ（Ｄｅｌｉｖｅｒｙ Ｔｒａｆｆｉｃ Ｉｎｄｉｃａｔｉｏｎ Ｍｅｓｓａｇｅ）が含まれる周期を示すＤＴＩＭ値を付加して送信するアクセスポイントとを有する無線ＬＡＮシステムであって、前記複数の無線ＬＡＮ端末は、それぞれ自端末のＬｉｓｔｅｎ Ｉｎｔｅｒｖａｌ周期と前記アクセスポイントからのビーコン情報のビーコン間隔をもとにＤＴＩＭ値を算出し、アソシエーション要求にＬｉｓｔｅｎ Ｉｎｔｅｒｖａｌ値として設定する手段を有し、前記アクセスポイントは、前記複数の無線ＬＡＮ端末からの前記アソシエーション要求に設定されたＬｉｓｔｅｎ Ｉｎｔｅｒｖａｌ値と当該アクセスポイントに設定されたＬｉｓｔｅｎ Ｉｎｔｅｒｖａｌ値とを比較する比較手段と、前記比較手段の比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する手段と、を備えたことを特徴とする無線ＬＡＮシステムが提供される。
【００１４】
また、本発明の第２の観点によれば、間欠的にアウェイク状態となる省電力モードを有し、Ｌｉｓｔｅｎ Ｉｎｔｅｒｖａｌ値が異なる複数の無線ＬＡＮ端末と、前記複数の無線ＬＡＮ端末が接続され、ビーコン情報にＤＴＩＭ（Ｄｅｌｉｖｅｒｙ Ｔｒａｆｆｉｃ Ｉｎｄｉｃａｔｉｏｎ Ｍｅｓｓａｇｅ）が含まれる周期を示すＤＴＩＭ値を付加して送信するアクセスポイントとを有する無線ＬＡＮシステムの省電力制御方法であって、前記複数の無線ＬＡＮ端末により、それぞれ自端末のＬｉｓｔｅｎ Ｉｎｔｅｒｖａｌ周期と前記アクセスポイントからのビーコン情報のビーコン間隔をもとにＤＴＩＭ値を算出し、アソシエーション要求にＬｉｓｔｅｎ Ｉｎｔｅｒｖａｌ値として設定する工程と、前記アクセスポイントにより、前記複数の無線ＬＡＮ端末からの前記アソシエーション要求に設定されたＬｉｓｔｅｎ Ｉｎｔｅｒｖａｌ値と当該アクセスポイントに設定されたＬｉｓｔｅｎ Ｉｎｔｅｒｖａｌ値とを比較する工程と、前記比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する工程と、を含むことを特徴とする無線ＬＡＮシステムの省電力制御方法が提供される。
【発明の効果】
【００１５】
本発明によれば、無線ＬＡＮ端末に設定された省電力動作のためのアウェイク時間に応じてアクセスポイントの省電力設定パラメータを変更することにより、無線ＬＡＮ端末は常にＤＴＩＭ情報を確認でき、マルチキャストパケットやブロードキャストパケットを取りこぼすことがない。
【００１６】
また、省電力設定の異なる複数の無線ＬＡＮ端末がアクセスポイントに接続された場合には、無線ＬＡＮ端末毎にListen Interval周期とアクセスポイントのＤＴＩＭ値を比較し、擬似的にアクセスポイントに設定する各無線ＬＡＮ端末のデータの有無情報を無線ＬＡＮ端末のアウェイク動作周期に合わせるため、マルチキャストやブロードキャストパケットを取りこぼすことがなく、無線ＬＡＮ端末はマルチキャストやブロードキャストパケットを受信することが可能となる。
【図面の簡単な説明】
【００１７】
【図１】本発明に係る無線ＬＡＮシステムの第１の実施形態を示すブロック図である。
【図２】図１の動作を説明するタイミングチャートである。
【図３】本発明の第２の実施形態を示すブロック図である。
【発明を実施するための形態】
【００１８】
次に、発明を実施するための形態について図面を参照して詳細に説明する。
【００１９】
（第１の実施形態）
図１は本発明に係る無線ＬＡＮシステムにおいてアクセスポイントのビーコン機能に関わる構成を示すブロック図である。図１では無線ＬＡＮシステムのアクセスポイントの一部の構成を示しているが、アクセスポイントのその他の構成やアクセスポイントと接続される無線ＬＡＮ端末等は省略している。
【００２０】
まず、ビーコン情報設定部１２はビーコン間隔とＤＴＩＭタイミング、その他ビーコンに設定する必要がある情報を設定する。ビーコン送信部１１は設定された情報をもとにしたビーコンを送信する。アクセスポイントに接続する無線ＬＡＮ端末は、アクセスポイントから送信されたビーコン情報をもとに省電力設定を行い、アソシエーション要求にListen Interval値を付加してアクセスポイント宛に送信する。
【００２１】
無線ＬＡＮ端末の省電力設定として端末自身でListen Interval周期を設定する場合には、無線ＬＡＮ端末は受信したビーコンのビーコン間隔をもとにＤＴＩＭ値を算出し、アソシエーション要求にListen Interval値として設定する。無線ＬＡＮ端末から送信されたアソシエーション要求はアクセスポイントのデータ受信部１３で受信され、設定比較部１４にてビーコン情報設定部１２の設定情報とデータ受信部１３の受信情報を比較し、アクセスポイントの設定と無線ＬＡＮ端末のListen Interval周期が一致するかどうかを確認する。
【００２２】
省電力のためのアウェイク周期が異なる場合には、変更したいパラメータを設定変更部１５に抽出する。抽出したパラメータをビーコン情報設定部１２にインプットすることで、ビーコンに設定する情報が変更され、ビーコン送信部１１から変更されたパラメータを載せたビーコンが送信される。ビーコンに設定する情報の変更は無線ＬＡＮ端末が帰属した次のＤＴＩＭタイミングで行うことにより、無線ＬＡＮ端末の省電力動作タイミングと同期させることができる。
【００２３】
次に、図２を用いてアクセスポイント設定と無線ＬＡＮ端末のアウェイク動作を説明する。図２（１）はビーコン情報設定部１２の情報をもとに送信されたビーコン周期を示す。図２（１）ではアクセスポイントから送信されているビーコンがビーコン間隔ＢＩ＝１００msec、ＤＴＩＭ値が５に設定された例を示す。
【００２４】
このアクセスポイントに接続する無線ＬＡＮ端末のListen Interval周期が１０００msecに設定されている場合、ＢＩ＝１００msecであるので無線ＬＡＮ端末はＤＴＩＭ値を１０としてアウェイク動作を行う。この時、無線ＬＡＮ端末はアソシエーション要求に付加するListen Interval値を１０にしてアクセスポイントに送信する。図２（２）は無線ＬＡＮ端末のアウェイク動作タイミングを示す。
【００２５】
図２（２）に示すように始めのＤＴＩＭタイミングで無線ＬＡＮ端末は省電力動作となるドーズ状態からアウェイク状態になり、ビーコン情報及び自端末宛のデータがあるかを確認する。自端末宛のデータがなければ再びドーズ状態になる。無線ＬＡＮ端末はListen Interval周期が１０００msecであるため、次のＤＴＩＭタイミングではアウェイク状態にはならず、その次のＤＴＩＭタイミングでアウェイク状態に遷移する。
【００２６】
アクセスポイントは、設定したＤＴＩＭ値と接続されている無線ＬＡＮ端末のアウェイク動作のタイミングを判定し、ＤＴＩＭ値を５から１０に再設定し、ビーコンを送信する。再設定したビーコン送信状態を図２（３）に示す。これにより、接続された無線ＬＡＮ端末は常にＤＴＩＭ情報を確認できるため、マルチキャストパケットやブロードキャストパケットを取りこぼす問題を解決できる。
【００２７】
（第２の実施形態）
図１の実施形態では、アクセスポイントに接続する無線ＬＡＮ端末が１台、もしくは同一設定の無線ＬＡＮ端末が複数ある環境では有効であるが、Listen Interval周期が異なる無線ＬＡＮ端末が複数接続される環境では、ビーコン設定が一律で変更されてしまうため、無線ＬＡＮ端末によってはアウェイク動作したいタイミングでアウェイク動作ができなくなる。従って、データの送受信が遅れるもしくは取りこぼす現象が発生する可能性がある。
【００２８】
図３はこの問題を解決する本発明の第２の実施形態を示す。図３ではListen Interval周期が異なる複数の無線ＬＡＮ端末が接続された場合のアクセスポイントのビーコン機能の動作部分の一構成例を示す。なお、図３ではアクセスポイントの一部の構成を示しているが、アクセスポイントのその他の構成やアクセスポイントと接続される無線ＬＡＮ端末等は省略している。
【００２９】
ビーコン情報設定部２２はビーコン間隔とＤＴＩＭタイミング、その他ビーコンに設定する必要がある情報を設定する。ビーコン送信部２１は設定された情報をもとにしたビーコンを送信する。
【００３０】
アクセスポイントに接続する無線ＬＡＮ端末は、自端末に設定したListen Interval周期に基づき、受信したビーコンのビーコン間隔をもとにＤＴＩＭ値を算出し、アソシエーション要求にListen Interval値として設定する。即ち、ＤＴＩＭ値＝Listen Interval周期／ビーコン間隔となる。例えば、自身に設定したListen Interval周期が１０００msec、受信したビーコンのビーコン間隔が１００msecの場合、アソシエーション要求に設定するListen Interval値（算出した＝ＤＴＩＭ値）は１０となる。
【００３１】
但し、算出したＤＴＩＭ値が整数でない場合には、自身に設定したListen Interval周期以上で、且つ、ビーコン間隔の倍数でListen Interval周期に最も近い値が実際のListen Intervalとなるように再設定する。例えば、自身に設定したListen Interval周期が１０００msec、受信したビーコンのビーコン間隔が３００msecとすると、算出したＤＴＩＭ値は３．３３となる。また、ビーコン間隔の倍数でListen Interval周期に最も近い値は１２００msecとなり、自身に再度１２００msecを設定し、アソシエーション要求に設定するListen Interval値（算出したＤＴＩＭ値）は４となる。
【００３２】
無線ＬＡＮ端末から送信されたアソシエーション要求はデータ受信部２３で受信され、設定比較部２４でビーコン情報設定部２２の情報とデータ受信部２３の情報を比較し、アクセスポイントの設定と無線ＬＡＮ端末のListen Interval周期が一致するかを確認する。
【００３３】
設定比較した無線ＬＡＮ端末の省電力情報は省電力情報保持部２５で保持され、端末（端末１、２、…、Ｎ）のＤＴＩＭ値を記憶する。また、ビーコンのＤＴＩＭ値を変更する必要があることを示す擬似的なビーコンのＤＴＩＭ値変更情報をビーコン情報設定部２２に通知する。アクセスポイントから送信するＤＴＩＭ値は、接続された複数の無線ＬＡＮ端末のうち特定の省電力設定に合わせて変更できないため、ビーコン情報設定部２２は擬似ビーコンＤＴＩＭ値変更情報を受け取っても、実際にビーコンタイミングやＤＴＩＭ値を変更することはない。
【００３４】
そのため、例えば、無線ＬＡＮ端末のＤＴＩＭ受信周期がアクセスポイントのＤＴＩＭ
周期より長い場合には、アクセスポイントのＤＴＩＭタイミングでは無線ＬＡＮ端末はア
ウェイク状態になっていないためデータは破棄されてしまう。本実施形態では、データバ
ッファ部２６は省電力情報保持部２５の情報（端末１、２、…、Ｎ）をもとにビーコン情
報設定部２２のＴＩＭ情報に擬似的なビーコンＤＴＩＭ値でバッファリングデータがある
ことをデータ送信部２７を介して送信する。
【００３５】
つまり、通常、無線ＬＡＮ端末はビーコンのＤＴＩＭ周期でAwakeし、ＤＴＩＭ値を見て自端末宛のデータがあるかどうかを確認する。図３では自端末以外の無線ＬＡＮ端末も接続されていることが前提となるため、アクセスポイントが定期的に送信しているビーコンのＤＴＩＭ周期を変更することができない。そこで、バッファリングデータがあるという情報を無線ＬＡＮ端末のＤＴＩＭ周期に合わせてＴＩＭ情報に乗せることにより、バッファリングデータがあることを通知する。
【００３６】
そのため、自身のＤＴＩＭタイミングでアクセスポイントから送信されるビーコンのＴＩＭ情報にデータがあることが通知されるため、無線ＬＡＮ端末はデータ受信を行うためにPS Pollパケットを送信し、データ受信をすることが可能となる。
【００３７】
ここで、バッファリングデータとは、無線ＬＡＮ端末宛のブロードキャストパケットが該当する。具体的な例としては、同一ネットワーク内の別の無線ＬＡＮ端末が該当しているＩＰアドレスを使用している端末を探すために送信するＡＲＰ検索パケットがそれに該当する。
【００３８】
このようにアクセスポイントは、Listen Interval値が異なる複数の無線ＬＡＮ端末が接続される環境において、無線ＬＡＮ端末毎にListen Interval周期とアクセスポイントのＤＴＩＭ値とを比較し、その比較結果に基づき擬似的にアクセスポイントに設定する無線ＬＡＮ端末のデータ有無の情報を、各無線ＬＡＮ端末のアウェイク動作周期と合わせて送信する。そのため、各無線ＬＡＮ端末は、自端末のＤＴＩＭ受信タイミングでバッファリング情報を受信することができる。
【００３９】
また、擬似的にＤＴＩＭ値を変更するのは無線ＬＡＮ端末が帰属した次のＤＴＩＭタイミングで行うことにより、無線ＬＡＮ端末の省電力動作タイミングと同期させることができる。更に、一般的に無線ＬＡＮ端末にはアソシエーション時にアクセスポイントからアソシエーションＩＤ（接続識別子）が付加されている。
【００４０】
従って、省電力動作中の無線ＬＡＮ端末宛にデータが到着し、データをバッファリングすると、あて先の無線ＬＡＮ端末のアソシエーションＩＤに対応するビットが１に設定されているため、自身の無線ＬＡＮ端末にバッファリングデータがあるかどうかを判断することができる。つまり、無線ＬＡＮ端末は自端末のアソシエーションＩＤに対応するビットに１が設定されていると、自身の無線ＬＡＮ端末にバッファリングデータがあることを認識することができる。
【００４１】
本実施形態では、Listen Interval周期の異なる複数の無線ＬＡＮ端末がアクセスポイントに帰属した場合でも、アクセスポイントで擬似的に無線ＬＡＮ端末毎にＤＴＩＭ値を変更することにより、マルチキャストやブロードキャストパケットを取りこぼすことなく、無線ＬＡＮ端末は受信することが可能となる。
【００４２】
なお、上記実施形態の一部又は全部は、以下の付記のようにも記載されうるが、以下に限ることはない。
【００４３】
（付記１）間欠的にアウェイク状態となる省電力モードを有する無線ＬＡＮ端末と、前記無線ＬＡＮ端末が接続され、ビーコン情報にＤＴＩＭ（Delivery Traffic Indication Message）が含まれる周期を示すＤＴＩＭ値を付加して送信するアクセスポイントとを有する無線ＬＡＮシステムであって、
前記無線ＬＡＮ端末は、前記アクセスポイントから送信されたビーコン情報のビーコン間隔に基づいてＤＴＩＭ値を算出し、アソシエーション要求にListen Interval値として設定する手段を有し、
前記アクセスポイントは、前記アソシエーション要求に付加されたListen Interval値に従い、前記ビーコン情報に含まれるＤＴＩＭ値を変更する手段を有することを特徴とする無線ＬＡＮシステム。
【００４４】
（付記２）間欠的にアウェイク状態となる省電力モードを有し、Listen Interval値が異なる複数の無線ＬＡＮ端末と、前記複数の無線ＬＡＮ端末が接続され、ビーコン情報にＤＴＩＭ（Delivery Traffic Indication Message）が含まれる周期を示すＤＴＩＭ値を付加して送信するアクセスポイントとを有する無線ＬＡＮシステムであって、
前記複数の無線ＬＡＮ端末は、それぞれ自端末のListen Interval周期と前記アクセスポイントからのビーコン情報のビーコン間隔をもとにＤＴＩＭ値を算出し、アソシエーション要求にListen Interval値として設定する手段を有し、
前記アクセスポイントは、
前記複数の無線ＬＡＮ端末からの前記アソシエーション要求に設定されたListen Interval値と当該アクセスポイントに設定されたListen Interval値とを比較する比較手段と、
前記比較手段の比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する手段と、
を備えたことを特徴とする無線ＬＡＮシステム。
【００４５】
（付記３）前記アクセスポイントは、あて先の無線ＬＡＮ端末のアソシエーションＩＤに対応するビットを１に設定し、当該無線ＬＡＮ端末は前記アソシエーションＩＤに対応するビットを確認することで、自端末へのデータ有無を判断することを特徴とする付記２に記載の無線ＬＡＮシステム。
【００４６】
（付記４）間欠的にアウェイク状態となる省電力モードを有する無線ＬＡＮ端末と、前記無線ＬＡＮ端末が接続され、ビーコン情報にＤＴＩＭ（Delivery Traffic Indication Message）が含まれる周期を示すＤＴＩＭ値を付加して送信するアクセスポイントとを有する無線ＬＡＮシステムの省電力制御方法であって、
前記無線ＬＡＮ端末により、前記アクセスポイントから送信されたビーコン情報のビーコン間隔に基づいてＤＴＩＭ値を算出し、アソシエーション要求にListen Interval値として設定する工程と、
前記アクセスポイントにより、前記無線ＬＡＮ端末からの前記アソシエーション要求に付加されたListen Interval値に従い、前記ビーコン情報に含まれるＤＴＩＭ値を変更する工程と、
を含むことを特徴とする無線ＬＡＮシステムの省電力制御方法。
【００４７】
（付記５）間欠的にアウェイク状態となる省電力モードを有し、Listen Interval値が異なる複数の無線ＬＡＮ端末と、前記複数の無線ＬＡＮ端末が接続され、ビーコン情報にＤＴＩＭ（Delivery Traffic Indication Message）が含まれる周期を示すＤＴＩＭ値を付加して送信するアクセスポイントとを有する無線ＬＡＮシステムの省電力制御方法であって、
前記複数の無線ＬＡＮ端末により、それぞれ自端末のListen Interval周期と前記アクセスポイントからのビーコン情報のビーコン間隔をもとにＤＴＩＭ値を算出し、アソシエーション要求にListen Interval値として設定する工程と、
前記アクセスポイントにより、
前記複数の無線ＬＡＮ端末からの前記アソシエーション要求に設定されたListen Interval値と当該アクセスポイントに設定されたListen Interval値とを比較する工程と、
前記比較結果に基づいて前記無線ＬＡＮ端末毎に擬似的にアクセスポイントに設定する無線ＬＡＮ端末のデータ有無の情報を、各無線ＬＡＮ端末のアウェイク動作周期と合わせたタイミングで送信する工程と、
を含むことを特徴とする無線ＬＡＮシステムの省電力制御方法。
【００４８】
（付記６）前記アクセスポイントは、あて先の無線ＬＡＮ端末のアソシエーションＩＤに対応するビットを１に設定し、当該無線ＬＡＮ端末は前記アソシエーションＩＤに対応するビットを確認することで、自端末へのデータ有無を判断することを特徴とする付記５に記載の無線ＬＡＮシステムの省電力制御方法。
【産業上の利用可能性】
【００４９】
本発明は、無線ＬＡＮシステム、特に、消費電力への影響が大きい携帯型無線ＬＡＮ端末を用いたシステムに好適に使用することができる。
【符号の説明】
【００５０】
１１  ビーコン送信部
１２  ビーコン情報設定部
１３  データ受信部
１４  設定比較部
１５  設定変更部
２１  ビーコン送信部
２２  ビーコン情報設定部
２３  データ受信部
２４  設定比較部
２５  省電力情報保持部
２６  データバッファ部
２７  データ送信部
【図１】
0005483188.tif 000002
【図２】
0005483188.tif 000003
【図３】
0005483188.tif 000004